【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
移植片の一端を骨に固定するための固定装置であって、
前記装置が
第一端部及び第二端部を有するインプラントボディであって、前記第一端部は挿入用具を受け取るのに適応した形状にされた開口部を有し、かつ前記第二端部はくぼみを有するボディ、及び
移植片保持部分及びインプラント結合部分を有する移植片インターフェース部材であって、前記結合部分の少なくとも一部は前記くぼみ中に受け取られて前記インプラントボディを前記移植片インターフェース部材とは独立に回転させるのに適応した形状にされる部材、
を含み、
前記移植片保持部分が中央の長さ方向の軸を有し、かつ前記中央の長さ方向の軸と整合された移植片を保持するのに適応した形状にされることを特徴とする固定装置。
【請求項２】
前記移植片保持部分が密閉ループを含む請求項１記載の固定装置。
【請求項３】
前記移植片保持部分がケージを含む請求項１記載の固定装置。
【請求項４】
前記移植片保持部分がらせんねじ部分を含む請求項１記載の固定装置。
【請求項５】
前記ケージがケージ下部及び前記ケージ下部に取付可能なケージ上部を含む請求項３記載の固定装置。
【請求項６】
前記ケージが少なくとも一つの長さ方向の壁部分及び円形端部壁セグメントを含む請求項３記載の固定装置。
【請求項７】
前記インプラント結合部分が可撓性ポストを含む請求項１記載の固定装置。
【請求項８】
前記可撓性ポストがフレア先端部分を有する請求項７記載の固定装置。
【請求項９】
前記フレア先端部分が溝削りされている請求項８記載の固定装置。
【請求項１０】
前記インプラントボディの第二の対向端部中の前記くぼみがアンダーカット部分を有する請求項１記載の固定装置。
【請求項１１】
インプラントボディ及び前記移植片インターフェース部材が互いに一体に連結されている請求項１記載の固定装置。
【請求項１２】
前記ケージ上部が前記ケージ上部を前記ケージ下部に取り付けるのに適応した形状にされた少なくとも一つの戻り止めを含む請求項５記載の固定装置。
【請求項１３】
前記ケージ下部が前記戻り止めを受け取るのに適応した形状にされた少なくとも一つの嵌め込みを有する請求項１２記載の固定装置。
【請求項１４】
前記骨ケージが少なくとも一つの壁部及び前記少なくとも一つの壁部中の少なくとも一つの開口部を有する請求項５記載の固定装置。
【請求項１５】
前記少なくとも一つの壁部がセレーションを含む内面を有する請求項１４記載の固定装置。
【請求項１６】
前記少なくとも一つの長さ方向の壁部が少なくとも一つの開口部を有する請求項６記載の固定装置。
【請求項１７】
前記インプラントボディの前記第一の対向端部中の前記開口部が六角形である請求項１記載の固定装置。
【請求項１８】
前記インプラントボディの前記第一の対向端部中の前記開口部が内部ねじ切りされた部分を含む請求項１記載の固定装置。
【請求項１９】
前記インプラントボディの前記第一の対向端部中の前記六角形開口部が内部ねじ切りされた部分に対しテーパー付きである請求項１７記載の固定装置。
【請求項２０】
前記インプラントボディが外面を有し、その少なくとも一部が骨への移植のためのねじ山を含む請求項１記載の固定装置。
【請求項２１】
固定装置及びそれに取り付けられた移植片を準備された骨トンネルに設置し、固定するための移植片固定システムであって、
前記システムが
第一端部及び第二端部を有するインプラントボディであって、前記第一端部は開口部を有し、かつ前記第二端部はくぼみを有するボディ；並びに移植片保持部分及びインプラント結合部分を有する移植片インターフェース部材であって、前記インプラント結合部分の少なくとも一部は前記インプラントボディが前記移植片インターフェース部材とは独立に回転することを可能にする様式で前記くぼみ中に受け取られるのに適応した形状にされ、かつ前記移植片保持部分は中央の長さ方向の軸を有し、かつ前記中央の長さ方向の軸と整合された移植片を保持するのに適応した形状にされた固定装置、及び
シャフト及び外部スリーブを含むドライバー
を含み、
前記シャフトが前記インプラントボディに係合するのに適応した形状にされる第一端部を有し、
前記外部スリーブが前記インプラントボディに係合するのに適応した形状にされる第一端部を有し、
前記シャフトが前もって決められた距離にわたって前記外部スリーブ内で、かつ前記外部スリーブに対し摺動するのに適応した形状にされることを特徴とする移植片固定システム。
【請求項２２】
前記ドライバーシャフトの前記第一端部が前記インプラントボディ中の前記くぼみにねじ込まれて係合する請求項２１記載の移植片固定システム。
【請求項２３】
前記ドライバー外部スリーブの前記第一端部が捻り力を前記インプラントボディに加える形状にされる請求項２１記載の移植片固定システム。
【請求項２４】
トンネルが骨中に形成される外科処置において移植片を骨に取り付ける方法であって、
移植片インターフェース部分に一体に連結されたボディ部分を有する固定装置を用意する工程であって、前記ボディ部分は前記移植片インターフェース部分に対し回転可能であり、かつ前記固定装置は中央の長さ方向の軸を有し、
第一及び第二の反対端部を有する移植片を用意する工程、
前記移植片の前記第一端部を前記中央の長さ方向の軸に沿って前記固定装置の前記移植片インターフェース部分に取り付ける工程、
前記固定装置を前記骨トンネル内に取り付ける工程、
張力を前記移植片中に維持しながら前記移植片の前記第二端部を骨に固定する工程、及び
実質的な捻りを前記移植片に加えないで前記ボディ部分を前記骨トンネル中で回転させることにより前記張力を前記移植片中で調節する工程を含むことを特徴とする移植片の取り付け方法。
【手続補正２】
【補正対象書類名】明細書
【補正対象項目名】０００５
【補正方法】変更
【補正の内容】
【０００５】
Gobleらの米国特許第５，９３１，８４０号(特許文献１)は靭帯固定システム用の骨固定装置を開示している。Gobleは骨トンネル中に固定される長さ方向の通路を有するねじ込みフーティングを含む２部分組立体を開示している。次いで移植片保持構成部分がフーティング中に延びる長さ方向の通路中に挿入され、載せられる。ねじ込み挿入用具が移植片保持構成部分を、その後の移植片トレーリングで骨トンネルに押しやり、案内するのに使用される。こうして、移植片が適所に案内される際に、移植片材料及び挿入用具のシャフトが互いに隣接する。２部分組立体が骨トンネル中で連結され、次いで挿入用具がねじをゆるめられ、トンネルから取り出される。
【手続補正３】
【補正対象書類名】明細書
【補正対象項目名】０００６
【補正方法】変更
【補正の内容】
【０００６】
別の靭帯再生移植片固定装置がRosenbergらの米国特許第５，１５２，７９０号(特許文献２)に開示されている。Rosenbergの特許はその端部で開いており、かつ靭帯移植片を縫合糸でそれに取り付けるための円筒形リング中の縫合糸タイスロット又は開口部を有する回転自在の円筒形リングを有する固定組立体を記載している。回転自在のリングの端部はスリーブ中に延び、かつ両端に開口部を有する長さ方向の通路を有するねじ込みスリーブに連結される。一つ以上の移植片が固定組立体の回転自在のリング端部に縫合された後、ドライバー装置がリング中の開口部を通ってねじ込みスリーブ中の開口部に挿入される。移植片がドライバー用具のシャフトのまわりに配置され、その用具が使用されて組立体を骨トンネル中に案内し、誘導する。ねじ込みスリーブが骨トンネルにねじで締められる場合、円筒形リング及び移植片の捻りが最小にされる。何とならば、リングがねじ込みスリーブに対し回転自在であるからである。
【手続補正４】
【補正対象書類名】明細書
【補正対象項目名】０００８
【補正方法】変更
【補正の内容】
【０００８】
こうして、従来技術の装置及び方法に見られる上記欠点及び問題を解決する靭帯又は腱を再生又は置換するための移植片固定システム及び方法についての要望がある。
【特許文献１】米国特許第５，９３１，８４０号（Goble等）
【特許文献２】米国特許第５，１５２，７９０号（Rosenberg等）